(57)【要約】【課題】  長尺状の収納物を出し入れ可能に収納でき、開閉がしやすく、使用時には開放状態として収納物の交換が行いやすい収納ケースを提供することを課題とする。【解決手段】  蓋部材１３は開く方向に回転力が付与されており、スライド部材１２の係止部と蓋部材１３の係止部６９を係合することによって、開口３９を封鎖する状態を維持する。また、開く際には、スライド部材１２を移動させることにより、前記係合がはずれて自動的に開き、また、閉じるときには蓋部材１３を反転させることにより行う。さらに、蓋部材１３が開くと、収納部材１０が回転して傾斜するので、取り出しやすく蓋を開けた状態でも収納物が外部に出にくい。【選択図】  図２
2010214148.tif 000002
【特許請求の範囲】
【請求項１】
長尺状の収納物を出し入れ可能に収納できる収納ケースにおいて、本体部材及び蓋部材を有し、前記本体部材には収納物が収納可能な収納空間を有し、前記収納空間の長手方向の一方には開口が設けられており、前記蓋部材は開閉可能であって閉じた状態では本体部材の開口側に配置されて収納空間に収納された収納物の移動を阻止し、蓋部材には軸部が設けられ、前記軸部が軸支されて本体部材に対して回転可能であって、蓋部材が開く方向に回転力が付与されており、本体部材と蓋部材とが係合することによって蓋部材が前記開口を封鎖する状態を維持することができ、前記係合を解くと、蓋部材は回転速度を制御しながら開くものであることを特徴とする収納ケース。
【請求項２】
回転力発生部材が設けられ、前記回転力発生部材によって蓋部材が開く方向に回転力が付与されており、回転力発生部材には内筒部、外筒部及びコイルバネを有し、前記内筒部は外筒部の内側に配置されて相対回転が可能であり、内筒部と外筒部との間には粘性体が設けられて、内筒部と外筒部との間で回転力が発生した場合に回転速度を制御しながら相対回転するものであり、内筒部と外筒部とはコイルバネを介して接続されて任意回転の位置から回転すると、前記任意の回転位置に向かって回転力を発生するものであり、
さらに、内筒部には第１係合部が設けられ、外筒部には第２係合部が設けられ、第１係合部及び第２係合部のいずれか一方が本体部材と係合し、他方が蓋部材と係合していることを特徴とする請求項１に記載の収納ケース。
【請求項３】
本体部材には被押圧部が設けられて、前記被押圧部を収納空間側に向かって押すことによって本体部材と蓋部材との係合を解くことができることを特徴とする請求項１又は２に記載の収納ケース。
【請求項４】
前記被押圧部は、収納空間を基準として蓋部材の回転軸とは反対側に位置していることを特徴とする請求項３に記載の収納ケース。
【請求項５】
蓋部材の回転軸を下側にし、被押圧部を上側にして平面状の台の上に置き、蓋部材を閉じた状態から開いた状態とすると、収納空間の開口側が上昇しつつ、収納空間が前記台に対して傾斜するものであることを特徴とする請求項４に記載の収納ケース。
【請求項６】
長尺状の収納物を出し入れ可能に収納できる収納ケースにおいて、本体部材、係止部、収納部材及び蓋部材を有し、前記収納部材は収納物が収納可能な収納空間を有し、前記収納空間の長手方向の一方には開口が設けられ、長手方向の他方で収納部材は本体部材に回転可能に軸支されており、前記蓋部材は収納部材の開口側に配置されて収納空間に収納された収納物の移動を阻止し、本体部材に対して回転可能に軸支されて開く方向に回転力が付与されており、前記係止部が係合することによって蓋部材が前記開口を封鎖する状態を維持することができ、前記係合を解くと、蓋部材が開くように回転するとともに、収納部材が回転して収納物の開口側への移動阻止を解除することを特徴とする収納ケース。
【請求項７】
蓋部材には当接面が設けられており、蓋部材が回転する際に前記当接面が収納部材に設けられた接触部に接触することにより収納部材の回転を行うものであることを特徴とする請求項６に記載の収納ケース。
【請求項８】
蓋部材の回転軸方向の両端には欠落部が設けられ、前記欠落部の端部が当接面となっており、収納部材の接触部は２カ所設けられて、接触部同士の間に蓋部材が配置されていることを特徴とする請求項７に記載の収納ケース。
【請求項９】
蓋部材には円筒部が設けられ、前記円筒部の内側には本体部材に固定されて外形断面が円形である挿入部材が挿入されており、蓋部材が回転する際には挿入部材の外側と円筒部の内側との間で摩擦力が発生することを特徴とする請求項６〜８のいずれかに記載の収納ケース。
【請求項１０】
挿入部材と円筒部との間には粘性体があることを特徴とする請求項９に記載の収納ケース。
【請求項１１】
全体形状が上面及び上面に対向する下面を有する板状であり、上面と下面との間に収納空間が配置されるものであり、蓋部材には板部が設けられ、蓋部材が閉じた状態では前記板部が上面の一部を形成し、蓋部材が完全に開いた状態では前記板部が下面を越えるものであることを特徴とする請求項６〜１０のいずれかに記載の収納ケース。
【発明の詳細な説明】
【技術分野】
【０００１】
本発明は、彫刻刀などを収納できる収納ケースに関するものである。
【背景技術】
【０００２】
従来より、彫刻刀は、刃先の形状の異なる複数の種類の彫刻刀をセットとして販売されている。そして、これらの彫刻刀は収納ケースに入れられている。また、彫刻刀の彫刻刀ケースは、彫刻刀の長手方向を一定の方向として、彫刻刀を並列状態にして収納されている。
【０００３】
この彫刻刀ケースを改良したものが、例えば、特許文献１を含め、多くの文献により開示されている。
【先行技術文献】
【特許文献】
【０００４】
【特許文献１】特開２０００−９３２２１号公報
【発明の開示】
【発明が解決しようとする課題】
【０００５】
彫刻刀などの長尺状の収納物を収納する収納ケースは、収納時には確実に収納することができ、収納ケースを開ける際には収納物の飛び出しなどが無く、取り出しの際には必要な収納物の取り出しが行いやすいことが望ましい。特に、彫刻刀などの場合には、誤って刃先が触れるとけがのおそれがある。しかし、従来の収納ケースでは、確実に収納することが出来るものでは取り出しにくくなってしまい、取り出しやすく収納を確実とすると、構造が複雑になってしまう。
【０００６】
また、彫刻刀などを用いる場合に、使用中に刃先を違うものなど別の種類の収納物に変えて使用することがある。そして、収納ケースを開放状態としながら彫刻刀が外部に出にくい状態とすることができれば、使用時には開放状態としておくことにより彫刻刀などの収納物の交換を行いやすい。
【０００７】
そこで、本発明は、開閉がしやすく、使用時には開放状態として収納物の交換が行いやすい収納ケースを提供することを目的とする。
【課題を解決するための手段】
【０００８】
そして、上記した目的を達成するための請求項１に記載の発明は、長尺状の収納物を出し入れ可能に収納できる収納ケースにおいて、本体部材及び蓋部材を有し、前記本体部材には収納物が収納可能な収納空間を有し、前記収納空間の長手方向の一方には開口が設けられており、前記蓋部材は開閉可能であって閉じた状態では本体部材の開口側に配置されて収納空間に収納された収納物の移動を阻止し、蓋部材には軸部が設けられ、前記軸部が軸支されて本体部材に対して回転可能であって、蓋部材が開く方向に回転力が付与されており、本体部材と蓋部材とが係合することによって蓋部材が前記開口を封鎖する状態を維持することができ、前記係合を解くと、蓋部材は回転速度を制御しながら開くものであることを特徴とする収納ケースである。
ここで、長手方向とは、長尺状の収納物が収納された状態における長手方向を意味するものである。
【０００９】
請求項１に記載の発明によれば、長尺状の収納物の出し入れを容易に行うことができ、また、蓋を開ける作業、蓋を閉じる作業を容易に行うことができる。すなわち、蓋部材は開く方向に回転力が付与されており、回転力発生部材によって回転速度を制御しながら開くので、本体部材と蓋部材との係合を解くことにより、ゆっくり自動的に開けることができる。また、閉じるときには、蓋部材を反転させて本体部材と蓋部材との係合させることにより行うことができる。
【００１０】
請求項２に記載の発明は、回転力発生部材が設けられ、前記回転力発生部材によって蓋部材が開く方向に回転力が付与されており、回転力発生部材には内筒部、外筒部及びコイルバネを有し、前記内筒部は外筒部の内側に配置されて相対回転が可能であり、内筒部と外筒部との間には粘性体が設けられて、内筒部と外筒部との間で回転力が発生した場合に回転速度を制御しながら相対回転するものであり、内筒部と外筒部とはコイルバネを介して接続されて任意回転の位置から回転すると、前記任意の回転位置に向かって回転力を発生するものであり、さらに、内筒部には第１係合部が設けられ、外筒部には第２係合部が設けられ、第１係合部及び第２係合部のいずれか一方が本体部材と係合し、他方が蓋部材と係合していることを特徴とする請求項１に記載の収納ケースである。
【００１１】
請求項２に記載の発明によれば、回転力発生部材は、第１係合部が設けられた内筒部と、第２係合部が設けられた外筒部とを有し、内筒部と外筒部とはコイルバネを介して接続されて任意の回転位置に向かって回転力を発生するものであり、内筒部と外筒部との間には粘性体が設けられているものであるので、蓋部材の回転速度を制御を容易に行うことができる。
【００１２】
請求項３に記載の発明は、本体部材には被押圧部が設けられて、前記被押圧部を収納空間側に向かって押すことによって本体部材と蓋部材との係合を解くことができることを特徴とする請求項１又は２に記載の収納ケースである。
【００１３】
請求項３に記載の発明によれば、本体部材には被押圧部が設けられて、前記被押圧部を収納空間側に向かって押すことによって本体部材と蓋部材との係合を解くことができるので、操作がしやすい。
【００１４】
請求項４に記載の発明は、前記被押圧部は、収納空間を基準として蓋部材の回転軸とは反対側に位置していることを特徴とする請求項３に記載の収納ケースである。
【００１５】
請求項４に記載の発明によれば、前記被押圧部は、収納空間を基準として蓋部材の回転軸とは反対側に位置しているので、蓋部材の回転軸が設けられた側を下側にして台などに置いた状態で、被押圧部を押しやすい。
【００１６】
請求項５に記載の発明は、蓋部材の回転軸を下側にし、被押圧部を上側にして平面状の台の上に置き、蓋部材を閉じた状態から開いた状態とすると、収納空間の開口側が上昇しつつ、収納空間が前記台に対して傾斜するものであることを特徴とする請求項４に記載の収納ケースである。
【００１７】
請求項５に記載の収納ケースでは、被押圧部を上側にして平面状の台の上に置いて、蓋部材を閉じた状態から開いた状態とすると、収納空間の開口側が上昇しつつ、収納空間が前記台に対して傾斜するので、被押圧部を押すだけで、蓋部材を開いた状態としながら収納空間を傾斜状態とすることができる。
【００１８】
請求項６に記載の発明は、長尺状の収納物を出し入れ可能に収納できる収納ケースにおいて、本体部材、係止部、収納部材及び蓋部材を有し、前記収納部材は収納物が収納可能な収納空間を有し、前記収納空間の長手方向の一方には開口が設けられ、長手方向の他方で収納部材は本体部材に回転可能に軸支されており、前記蓋部材は収納部材の開口側に配置されて収納空間に収納された収納物の移動を阻止し、本体部材に対して回転可能に軸支されて開く方向に回転力が付与されており、前記係止部が係合することによって蓋部材が前記開口を封鎖する状態を維持することができ、前記係合を解くと、蓋部材が開くように回転するとともに、収納部材が回転して収納物の開口側への移動阻止を解除することを特徴とする収納ケースである。
【００１９】
請求項６に記載の発明によれば、長尺状の収納物の出し入れを容易に行うことができ、また、蓋を開ける作業、蓋を閉じる作業を容易に行うことができる。すなわち、蓋部材は開く方向に回転力が付与されており、係止部が係合することによって蓋部材が前記開口を封鎖する状態を維持することができる。また、開く際には、係合を解いて行うことができる。
また、上記の収納ケースにスライド部材を設け、スライド部材と蓋部材に係合部を設けて、この係合部により蓋部材が前記開口を封鎖する状態を維持するようにすることもできる。
【００２０】
請求項７に記載の発明は、蓋部材には当接面が設けられており、蓋部材が回転する際に前記当接面が収納部材に設けられた接触部に接触することにより収納部材の回転を行うものであることを特徴とする請求項６に記載の収納ケースである。
【００２１】
請求項７に記載の発明によれば、蓋部材が回転する際に当接面が収納部材の接触部に接触することにより収納部材の回転させることができるので、容易に収納部材の傾斜を行うことができる。
【００２２】
請求項８に記載の発明は、蓋部材の回転軸方向の両端には欠落部が設けられ、前記欠落部の端部が当接面となっており、収納部材の接触部は２カ所設けられて、接触部同士の間に蓋部材が配置されていることを特徴とする請求項７に記載の収納ケースである。
【００２３】
請求項８に記載の発明によれば、欠落部を形成することにより当接面を容易に形成することができる。
【００２４】
請求項９に記載の発明は、蓋部材には円筒部が設けられ、前記円筒部の内側には本体部材に固定されて外形断面が円形である挿入部材が挿入されており、蓋部材が回転する際には挿入部材の外側と円筒部の内側との間で摩擦力が発生することを特徴とする請求項６〜８のいずれかに記載の収納ケースである。
【００２５】
請求項９に記載の発明によれば、蓋部材が回転する際には挿入部材の外側と円筒部の内側との間で摩擦力が発生するので、蓋部材が開く際の速度をゆっくりとすることができる。
【００２６】
請求項１０に記載の発明は、挿入部材と円筒部との間には粘性体があることを特徴とする請求項９に記載の収納ケースである。
【００２７】
請求項１０に記載の発明によれば、挿入部材と円筒部との間には粘性体があるので、蓋部材の回転速度の調節が容易となる。
【００２８】
請求項１１に記載の発明は、全体形状が上面及び上面に対向する下面を有する板状であり、上面と下面との間に収納空間が配置されるものであり、蓋部材には板部が設けられ、蓋部材が閉じた状態では前記板部が上面の一部を形成し、蓋部材が完全に開いた状態では前記板部が下面を越えるものであることを特徴とする請求項６〜１０のいずれかに記載の収納ケースである。
【００２９】
請求項１１に記載の発明によれば、蓋部材には板部が設けられ、蓋部材が閉じた状態では前記板部が上面の一部を形成し、蓋部材が完全に開いた状態では前記板部が下面を越えるものであるので、蓋部材が完全に開いた状態での傾斜角度を大きくすることができ、収納物を取り出しやすく、蓋を開けた状態でも収納物が外部に出にくい。
【発明の効果】
【００３０】
本発明の収納ケースは、開閉がしやすく、使用時には開放状態としても収納物が外部に出にくく、収納物の収納・取り出しが容易である。
【図面の簡単な説明】
【００３１】
【図１】本発明の第１の実施形態の収納ケースを閉じた状態で示した斜視図である。
【図２】本発明の第１の実施形態の収納ケースを開いた状態で示した斜視図である。
【図３】収納部材を示した斜視図である。
【図４】底ケース部材を示した斜視図である。
【図５】上ケース部材を示した斜視図である。
【図６】上ケース部材を示した斜視図である。
【図７】本体ケースを示した斜視図である。
【図８】スライド部材を示した斜視図である。
【図９】蓋部材と挿入部材とばねとを示した斜視図である。
【図１０】（ａ）が蓋部材及び挿入部材の内部とばねとを示した斜視図であり、（ｂ）が（ａ）のＡ方向から見た斜視図である。
【図１１】収納部材、蓋部材及びスライド部材の関係を横から見た状態で示した模式図である。
【図１２】収納部材、蓋部材及びスライド部材の関係を横から見た状態で示した模式図である。
【図１３】収納部材、蓋部材及びスライド部材の関係を横から見た状態で示した模式図である。
【図１４】収納部材、蓋部材及びスライド部材の関係を横から見た状態で示した模式図である。
【図１５】収納部材、蓋部材、スライド部材及び本体部材の底面の関係を横から見た状態で示した模式図である。
【図１６】収納部材、蓋部材、スライド部材及び本体部材の底面の関係を横から見た状態で示した模式図である。
【図１７】収納部材、蓋部材、スライド部材及び本体部材の底面の関係を横から見た状態で示した模式図である。
【図１８】収納物として用いられる彫刻刀の斜視図である。
【図１９】本発明の第２の実施形態の収納ケースを閉じた状態で示した斜視図である。
【図２０】本発明の第２の実施形態の収納ケースを開いた状態で示した斜視図である。
【図２１】図１９に示す収納ケースの分解斜視図である。
【図２２】底ケース部材の軸受け凹部と、押さえ部材の凹部とを拡大した斜視図である。
【図２３】底ケース部材の軸受け凹部、蓋部材の軸部及び回転力発生部材を示した斜視図である。
【図２４】（ａ）、（ｂ）、（ｃ）、（ｄ）、（ｅ）は、蓋部材と本体部材の係合部分を示した模式図である。
【図２５】回転力発生部材を示した分解斜視図である。
【図２６】回転力発生部材の内部の構造を示した分解斜視図である。
【図２７】本発明の第２の実施形態の収納ケースを台に置いた状態で横から見た図であり、（ａ）は閉じた状態を示した図、（ｂ）は開いた状態を示した図である。
【発明を実施するための最良の形態】
【００３２】
本発明の具体的実施例について説明する。図１、図２は、本発明の第１の実施形態の収納ケースを示した斜視図である。図３は収納部材を示した斜視図である。図４は底ケース部材を示した斜視図である。図５、図６は、上ケース部材を示した斜視図である。図７は、本体ケースを示した斜視図である。図８は、スライド部材を示した斜視図である。図９は、蓋部材と挿入部材とばねとを示した斜視図である。図１０は、（ａ）が蓋部材及び挿入部材の内部とばねとを示した斜視図であり、（ｂ）が（ａ）のＡ方向から見た斜視図である。図１１〜図１４は収納部材、蓋部材及びスライド部材の関係を横から見た状態で示した模式図である。図１５〜図１７は収納部材、蓋部材、スライド部材及び本体部材の底面の関係を横から見た状態で示した模式図である。
【００３３】
本発明の第１の実施形態における収納ケース１は、図１に示されるように、外形がやや丸みを帯びた板状のケースであり、収納部材１０、本体部材１１、スライド部材１２及び蓋部材１３が設けられている。そして、収納ケース１を開く場合には、スライド部材１２をスライドさせることにより蓋部材１３が回転するものであり、蓋部材１３が開くと、図２に示されるように、収納部材１０が上側に向かって回転する。
また、上記の、収納ケース１を構成する部材は樹脂の成形品が用いられているが、他の材質を用いることができる。
【００３４】
本実施形態の収納ケース１に収納される収納物は、図１８に示されるような彫刻刀９０であり、収納ケース１には彫刻刀９０の刃先９１の種類の異なるものを複数収納することができる。
【００３５】
収納部材１０は、図３に示されるように、２つの部材が上下に合わさって構成されており、具体的には、下側に底ケース部材２０が、上側に上ケース部材２１が設けられている。
底ケース部材２０は、図３、図４に示されるように、上部及び開口３９となる一つの側面が開放し、底面２５、横側面２７，２８、後側面２９により囲まれる収納空間２６を有している。そして、収納空間２６を仕切る複数の仕切板２３が設けられている。仕切板２３は彫刻刀９０の長手方向に沿って設けられるものであり、横側面２７、２８に沿う方向に設けられ、仕切板２３同士はほぼ平行である。したがって、仕切板２３及び横側面２７、２８により長手方向に延びる複数の空間ができる。
【００３６】
また、後側面２９は長手方向に垂直な面である。そして、後側面２９には切り欠き部３０が設けられており、仕切板２３によって仕切られた複数の空間に対応して設けられている。この切り欠き部３０の大きさは、彫刻刀９０の刃先９１の断面形状よりも大きいものである。
【００３７】
横側面２７、２８には、外側に向かって突出する突起３１が設けられている。突起３１は、上ケース部材２１に設けられている凹部３２に対応する位置に設けられて、突起３１を凹部３２に挿入して、底ケース部材２０と上ケース部材２１とを一体化して固定する。また、横側面２７、２８の開放された側面側は内側に位置している。
【００３８】
上ケース部材２１は、図５及び図６に示されている。なお、図６は図５の状態から裏表を反対とした状態の図である。
上ケース部材２１は、天板部３３と、天板部３３に接続する側板部３５、３６及びアーム３７、３８とを有している。そして、天板部３３を底ケース部材２０の収納空間２６の上部に、側板部３５、３６を底ケース部材２０の横側面２７、２８の外側となるようにして重ね合わせて一体化する。
【００３９】
そして、重ね合わせると、上ケース部材２１に設けられている凹部３２と底ケース部材２０の突起３１によって一体化して、上ケース部材２１と底ケース部材２０とが固定し、仕切板２３の上側と、２条突起４０とが係合する。したがって、収納空間２６は、長手方向に長くなるように複数に仕切られている。
【００４０】
上ケース部材２１と底ケース部材２０とが一体化した収納部材１０は、図３に示されるように、底ケース部材２０の後側面２９よりも外側の部分も天板部３３が覆う部分である外側空間４２が設けられており、彫刻刀９０が収納されるとこの外側空間４２に刃先９１が収納される。
【００４１】
また、上ケース部材２１の外側空間４２側には軸突起４３が設けられている。軸突起４３は、図５に示されるように、上ケース部材２１の側板部３５、３６の外側に設けられている。軸突起４３の形状は軸が長手方向に対して垂直である円柱の下側の部分を傾斜状に切り欠いた形状であり、また、両側の軸突起４３の軸は同軸となっている。
【００４２】
アーム３７、３８は、側板部３５、３６から、軸突起４３とは反対側に延びた部分である。また、アーム３７、３８の先端部（接触部）３７ａ、３８ａは、根元に比べて、上下方向の幅が狭く、アーム３７、３８同士の間隔が広くなっている。また、この先端部３７ａ、３８ａは、後述するように蓋部材１３の当接面８１、８２と接触する部分である。
【００４３】
本体部材１１は、図７に示されており、底面部４８、横側面４５、４６及び後側面４７が設けられ、底面部４８、横側面４５、４６及び後側面４７に囲まれる空間５０を有している。横側面４５、４６及び後側面４７は外側が曲面状となっている。
【００４４】
横側面４５、４６には空間５０から外部に通じる貫通孔５２が設けられている。横側面４５には、内側に向かって突出する円筒突起５３、５５が設けられている。また、横側面４６には、内側に向かって突出する円筒突起５４と、小判突起５７が設けられている。円筒突起５３、５４、５５には内側に円形の凹部５３ａ、５４ａ、５５ａが設けられており、小判突起５７には小判型の凹部５７ａが設けられている。
【００４５】
円筒突起５３の凹部５３ａの中心軸と円筒突起５４の凹部５４ａの中心軸とは同軸であり、収納部材１０の上ケース部材２１の軸突起４３、４３が挿入される。また、円筒突起５５の凹部５５ａの中心軸と、後述する挿入部材６０の突起部６０ａを小判突起５７の凹部５７ａに挿入したときの、挿入部材６０の中心軸とが同軸である。
【００４６】
また、底面部４８には、長手方向に垂直に延びる仕切部５１が設けられている。そして、仕切部５１の円筒突起５３及び円筒突起５４側の空間５０には収納部材１０が、仕切部５１の円筒突起５５及び小判突起５７側の空間５０にはスライド部材１２と蓋部材１３とが配置される。
【００４７】
また、横側面４５、４６には内側に突出し長手方向に延びる突条５８が設けられ、突条５８によって後述するスライド部材１２の突起６５をガイドする。
【００４８】
スライド部材１２は、図８に示されており、操作部６１、６１と、底板６２と、底板６２から突出した付勢部６３と、突起６５、６５が設けられている。
スライド部材１２の付勢部６３は、仕切部５１に接触することで、仕切部５１から離れる方向に付勢する。そして、操作部６１が本体部材１１の貫通孔５２の内側から外側に向かって挿入される。
【００４９】
蓋部材１３は、図９に示されており、円筒部６６、板部６７と側面部６８，６８が設けられている。
円筒部６６の内部は、図１０に示されるように、円板部７１で仕切られており、一方側には２条突起７３が設けられて、他方側は、円状突起７２が設けられている。円板部７１の位置は、円筒部６６の他方側に近い部分に位置しており、円状突起７２の外径が本体部材１１の円筒突起５５の内径にほぼ等しいので、円筒部６６の他方側は円筒突起５５と係合して円筒部６６が軸支される。
【００５０】
また、円筒部６６の両端は約半周が欠落している欠落部８０を有しており、欠落部８０の両端は段状となって、当接面８１、８２が設けられている。
【００５１】
蓋部材１３の板部６７は円筒部６６の両端付近に位置し、係止部６９が設けられている。係止部６９は凸部６９ａと凹部６９ｂとを有し、スライド部材１２の係止部６４との係合を行う。具体的には、図８に示すように、スライド部材１２の係止部６４には凸部６４ａ及び凹部６４ｂが設けられており、蓋部材１３の凸部６９ａがスライド部材１２の凹部６４ｂに入り込み、蓋部材１３の凹部６９ｂがスライド部材１２の凸部６４ａに入り込む。また、凸部６４ａ及び凸部６９ａは外側が傾斜しているので、係合していない状態で蓋部材１３とスライド部材１２とを上下方向に押しつける方向に力を加えると、スライド部材１２が移動して係合状態とすることができる。
【００５２】
また、円筒部６６の一方側はばね７０が挿入される。ばね７０はコイル状であり、両端には端部７５及び端部７６が設けられている。端部７５及び端部７６は、ばね７０のコイルの軸線に対して垂直に交差する方向に延びる部分である。
【００５３】
そして、ばね７０の端部７５が２条突起７３に係合し、また、ばね７０の端部７６が挿入部材６０の２条突起７７に係合して、蓋部材１３と挿入部材６０との間で回転力を発生させる。
ここで、挿入部材６０は外形断面が円形であって、一方が封鎖された筒状であり、封鎖された側には突起部６０ａが設けられ、筒状の内部にはばね７０が挿入される。
【００５４】
また、挿入部材６０は、突起部６０ａが小判突起５７の凹部５７ａに挿入されるので、挿入部材６０は本体部材１１に対して回転することができない。したがって、蓋部材１３と本体部材１１との間にはばね７０の回転力が働く。また、本実施形態では、蓋部材１３が開く方向に回転力を与えるように挿入部材６０、ばね７０、蓋部材１３を係合している。
【００５５】
そして、収納ケース１の組立は以下の通りに行うことができる。
まず、スライド部材１２を本体部材１１にセットする。このとき、スライド部材１２に設けられた２カ所の操作部６１を、本体部材１１の横側面４５，４６に設けられた貫通孔５２に内側から外側に挿入する。
【００５６】
次に、底ケース部材２０と上ケース部材２１とを一体化した収納部材１０を本体部材１１と連結する。このとき軸突起４３、４３が円筒突起５３、５４に挿入されるようにして、収納部材１０が本体部材１１に対して回転できるようにしておく。なお、軸突起４３は下側が傾斜しているので、円筒突起５３、５４への挿入を容易に行うことができる。なお、収納部材１０の回転軸は長手方向に垂直であり、板状のケースである収納ケース１の板面に平行な方向である。
【００５７】
そして、蓋部材１３、ばね７０及び挿入部材６０を連結した状態で、本体部材１１にセットする。具体的には、蓋部材１３を開放した状態で、突起部６０ａを小判突起５７の凹部５７ａに挿入し、円状突起７２を円筒突起５５に挿入する。このとき、ばね７０が圧縮するので容易に挿入でき、また、挿入後はばね７０によって挿入方向に付勢されるので、離脱しにくい。また、蓋部材１３の回転軸は長手方向に垂直であり、板状のケースである収納ケース１の板面に平行な方向である。
【００５８】
このとき、収納部材１０のアーム３７、３８の先端部３７ａ、３８ａが蓋部材１３の円筒部６６の欠落部８０に配置するようにする。
【００５９】
なお、挿入部材６０の外周面に粘性体を塗布しておき、挿入部材６０の外周面と蓋部材１３の円筒部６６の内周面との間の摩擦を粘性体を介して行うようにしておく。そうすると、蓋部材１３の回転の際に粘性体によるせん断抵抗が発生し、回転をゆっくりとすることができる。この粘性体の粘度は、隙間や挿入部材６０の外周面の面積などに応じて所定のものを用いることができる。また、挿入部材６０を蓋部材１３に挿入した後に、粘性体を注入しても良い。
【００６０】
さらに、この状態で蓋部材１３を閉める方向に回転させて、蓋部材１３の係止部６９とスライド部材１２の係止部６４とを係合させることにより、閉じた状態を維持する。
なお、蓋部材１３が開いた状態では、図２にも示されるように、円筒部６６の欠落部８０は上側にあり、収納部材１０のアーム３７，３８の先端部３７ａ、３８ａが欠落部８０に配置される関係上、収納部材１０が傾斜することになるが、蓋部材１３を閉めることにより円筒部６６が回転して欠落部８０が反転して下側に移動し、収納部材１０の傾斜が無くなる。また、収納部材１０の開口３９は蓋部材１３側に位置しており、蓋部材１３の円筒部６６によって、収納空間２６に収納された彫刻刀９０が外部に出ることを阻止することができる。
【００６１】
次に、本実施形態の収納ケース１の開閉動作について、説明する。
図１１〜図１７は、収納部材１０、蓋部材１３及びスライド部材１２の関係を、横方向（図１、図２において、左下側から右上側に向かう方向）から見た状態で示した図であり、特に、図１５〜図１７については、本体部材１１の底面部４８との関係も加えて示している。なお、アーム３８側から見た図のみを図示しているが、対称形であるのでアーム３７の動きについても同様である。
【００６２】
図１に示すような蓋部材１３を閉じた状態の、収納部材１０、蓋部材１３及びスライド部材１２の関係は、図１１に示されている。そして、この状態では、収納部材１０は傾いておらず、また、蓋部材１３が開く方向に回転力が働いているにもかかわらず、蓋部材１３とスライド部材１２は係止部６４と係止部６９によって係合されているので閉じた状態を維持している。
【００６３】
そして、図１１の状態から操作部６１を移動させることにより、スライド部材１２をスライドして、図１２に示されるように係止部６４と係止部６９との係合を解くと、上記したようにばね７０による回転力により、蓋部材１３は開く方向に回転する。この回転の回転軸は長手方向に対して垂直である。また、スライド部材１２は、付勢部６３により付勢されているので、力を抜くことによりものと方向に戻る。この状態を示したのが図１３である。
【００６４】
さらに、蓋部材１３は回転して、図１４から図１５、図１６の状態を経て、図１７の状態となって蓋部材１３が完全に開く。このとき、挿入部材６０の外側と、蓋部材１３の円筒部６６の内側との摩擦により徐々に開いていく。特に、本実施形態では、粘性体が用いられているので、開く速度がゆっくりした速度で安定する。
【００６５】
先端部３８ａは欠落部８０に配置されているので、欠落部８０の当接面８１が先端部３８ａに接触して先端部３８ａが押されることにより移動する。このとき、収納部材１０は、本体部材１１に対して軸突起４３によって回転可能に軸支されているので、軸突起４３を軸として回転する。この回転の回転軸は長手方向に対して垂直であり、回転によって、収納物の長手方向が傾斜する。
そして、収納部材１０は、図１５、図１６、図１７に示されるように、蓋部材１３が回転するに伴って傾斜する。
【００６６】
図１７に示すように、蓋部材１３が完全に開くと、収納部材１０の傾斜が最大となり、円筒部６６の位置が、収納空間２６から開口３９へと向く方向から外れることとなる。したがって、収納空間２６に収納された彫刻刀９０を出し入れする際にスムーズに行うことができる。また、このような状態となるのは、収納部材１０の傾きが最大となる図１７の状態であり、蓋部材１３が開く途中段階では収納空間２６に収納された彫刻刀９０の長手方向の移動を蓋部材１３の円筒部６６によって阻止するので彫刻刀９０が外部に飛び出してしまうことが無く安全である。
【００６７】
また、蓋部材１３は、回転可能な範囲が広く、具体的には１８０°以上であり、板部６７の先端が、本体部材１１の底面部４８よりも下側に位置することとなる。そして、図１６、図１７に示されるように、本体部材１１の底面部４８を下にして、平面状の場所の置いた場合には、底面部４８の蓋部材１３側が浮いた状態となって傾く。したがって、収納ケース１を使用する際に、蓋部材１３が開いた状態で置いておく場合には、適度な傾斜を有することとなり、彫刻刀９０が外部に出るおそれが小さく安全である。
【００６８】
そして、蓋部材１３を閉じる際には、蓋部材１３を反転させることにより行われる。具体的には、図１７の状態から図１６、図１５、図１４、図１３、図１２の状態を経て図１１の状態となる。なお、収納部材１０の傾きが小さくなるのは、当接面８１が先端部３８ａを押すのではなく、重力により先端部３８ａが当接面８１に接触することによる。
また、閉じる際にはスライド部材１２を操作しなくとも、係止部６４，６９の凸部６４ａ，６９ａが傾斜しているので、スライド部材１２が自動的に移動し、係合を行うことができる。
【００６９】
したがって、収納ケース１を開くときには、スライド部材１２を操作するだけで、蓋部材１３が開くように回転するとともに、収納部材１０が回転する。また、閉じる際には、蓋部材１３を閉じる方向に回転させるだけで行うことができる。さらに、彫刻刀９０を使用する際に蓋部材１３が開いた状態で置いておいても、適度な傾斜を有することとなり、彫刻刀９０が外部に出るおそれが小さく安全である。
そして、収納ケース１は、蓋部材１３の係止部６９とスライド部材１２の係止部６４とが係合することによって蓋部材１３が開口３９を封鎖する状態を維持することができ、スライド部材１２をスライドすると前記係合が解け、蓋部材１３が開くように回転して収納部材１０が回転し、彫刻刀９０の開口３９側への移動阻止を解除することができる。
【００７０】
次に、本発明の第２の実施形態の収納ケースについて説明する。
図１９、図２０は、本発明の第２の実施形態の収納ケースを示した斜視図である。図２１は、図１９に示す収納ケースの分解斜視図である。図２２は、底ケース部材の軸受け凹部と、押さえ部材の凹部とを拡大した斜視図である。図２３は、底ケース部材の軸受け凹部、蓋部材の軸部及び回転力発生部材を示した斜視図である。図２４（ａ）、（ｂ）、（ｃ）、（ｄ）、（ｅ）は、蓋部材と本体部材の係合部分を示した模式図である。図２５は回転力発生部材を示した分解斜視図である。図２６は回転力発生部材の内部の構造を示した分解斜視図である。図２７は、本発明の第２の実施形態の収納ケースを台に置いた状態で横から見た図であり、（ａ）は閉じた状態を示した図、（ｂ）は開いた状態を示した図である。
【００７１】
本発明の第２の実施形態における収納ケース２は、図１９、図２０、図２１に示されるように、本体部材１１１、蓋部材１１３、回転力発生部材１１４、押さえ部材１１５を有している。
そして、上記した収納ケース１と同様に、収納ケース２には、図１８に示されるような彫刻刀９０を収納することができる。
また、本体部材１１１、蓋部材１１３、押さえ部材１１５は、樹脂成形品が用いられている。
【００７２】
本体部材１１１は、図２０、図２１に示されるように、２つの部材が上下に合わさって構成されており、具体的には、下側に底ケース部材１２０が、上側に上ケース部材１２１が設けられている。そして、本体部材１１１には収納空間１２６と開口１３９が形成される。
【００７３】
底ケース部材１２０は、図２１に示されるように、底面１２５と、底面１２５に接続する横側面１２７，１２８、後側面１２９が設けられており、後側面１２９に対向する側（開口１３９側）、及び、上部側が開放している。
また、上ケース部材１２１は、天面１３３と、天面１３３に接続する横側面１３５、１３６及び後側面１３７とが設けられており、後側面１３７に対向する側（開口１３９側）、及び、下部側が開放している。
【００７４】
そして、本体部材１１１は、底ケース部材１２０と上ケース部材１２１とを、底面１２５と天面１３３とが対向するように合わせられる。そして、底ケース部材１２０の横側面１２７と上ケース部材１２１の横側面１３５とによって１つの側面１４５を形成し、底ケース部材１２０の横側面１２８と上ケース部材１２１の横側面１３６とによって１つの側面１４６を形成する。また、底ケース部材１２０の後側面１２９と上ケース部材１２１の後側面１３７とによって１つの側面１４７を形成する。そうして、横側面１４５、１４６、後側面１４７、底面１２５及び天面１３３によって収納空間１２６が形成される。
底ケース部材１２０と上ケース部材１２１とは、ねじ１３０によって固定される。
なお、上記した底ケース部材１２０と上ケース部材１２１との固定、また、後述する、底ケース部材１２０と押さえ部材１１５との固定や、上蓋部１５０と下蓋部１５１との固定は、ねじ１３０、１３１、１３２を用いて行われるが、接着剤を用いたり、嵌合構造用いるなどの他の固定方法を採用することができる。
【００７５】
また、底ケース部材１２０には、収納空間１２６を仕切る複数の仕切板１２３が設けられている。仕切板１２３は横側面１２７に平行な板であり、４カ所設けられて収納空間１２６が５分割されている。そのため、彫刻刀９０を開口側１３９から収納空間１２６に挿入することができ、この彫刻刀９０を別々に保持することができる。そして、彫刻刀９０は底ケース部材１２０の底面１２５に沿って配列する状態で収納することができる。
上ケース部材１２１には各彫刻刀９０が収納される部分に対応して外側に突出している。
【００７６】
図２１、図２３に示されるように、底ケース部材１２０には、軸受け凹部１３８が設けられている。軸受け凹部１３８は半円柱状の凹部であり、底面１２５の開口１３９側の縁付近に３ヵ所設けられている。
３ヵ所設けられた軸受け凹部１３８の内、中央に位置する軸受け凹部１３８ａには、半円筒部１３８ｄとスリット１３８ｅが設けられ、回転力発生部材１１４を配置することができる。そして、スリット１３８ｅは、半円筒部１３８ｄの端部付近に設けられている。
そして、軸受け凹部１３８ａと、両側の軸受け凹部１３８ｂ、１３８ｃとは離れており、この間に、後述する蓋部材１１３の軸部１５５が配置される。
また、軸受け凹部１３８ａの軸方向の両端と、軸受け凹部１３８ｂ、１３８ｃの軸受け凹部１３８ａ側の端部には、保持部１６０が設けられている。そして、保持部１６０の形状は半円状の凹部であり、その内径は、半円筒部１３８ｄよりも小さい。また、保持部１６０の内側には、後述する軸部１５５の突出部１５６ａ、１５６ｂ、１５６ｃ、１５６ｄが配置される。
【００７７】
また、底ケース部材１２０の軸受け凹部１３８の上側に押さえ部材１１５が設けられる。押さえ部材１１５には、半円柱状の凹部１４０とスリット１４０ａが設けられている。そして、押さえ部材１１５を底ケース部材１２０に固定すると、図２２に示されるように、円柱状の空間１４９が形成され、また、スリット１４０ａとスリット１３８ｅとがつながる。
また、底ケース部材１２０と押さえ部材１１５との固定は、ねじ１３１を用いて行われる。
【００７８】
上ケース部材１２１には係合部１４３が設けられている。係合部１４３はスリット状であり、蓋部材１１３の内側突起１４４が係合し、収納ケース２の蓋が閉じた状態を維持することができる。
また、天面１３３の係合部１４３が設けられる付近は、押しつけると変形しやすい構造となっている。また、天面１３３の、係合部１４３の付け根付近には被押圧部１７３が設けられており、後述するように、蓋を開ける際にはこの被押圧部１７３を押して係合部１４３を収納空間１２６側に移動させて行われる。
【００７９】
蓋部材１１３は、上蓋部１５０及び下蓋部１５１により構成されている。そして、上蓋部１５０と下蓋部１５１とを合わせてねじ１３２で固定することにより蓋部材１１３が形成される。
蓋部材１１３は、図２０に示されるように、内部空間１５２と開口１５３を有しており、開口１５３が本体部材１１１の開口１３９側となるように配置される。そして、図１９に示されるように、収納ケース２を閉じた状態では、開口１３９の位置と開口１５３との位置が合致して、収納空間１２６と内部空間１５２とが１つの閉鎖された空間となる。
【００８０】
また、上蓋部１５０の開口１５３側に内側突起１４４が設けられている。内側突起１４４は、図２４に示されるように、係合部１４３と係合することができる。そして、内側突起１４４には、係合部１４３との係合を容易にすることができるように、傾斜部１４４ａが設けられている。
この内側突起１４４の位置は、後述する軸部１５５とは反対側に位置している。
【００８１】
下蓋部１５１の開口１５３側に軸部１５５が設けられている。軸部１５５は２カ所設けられ、図２３に示されるように、それぞれの軸部１５５ａ、１５５ｂは、本体部材１１１に設けられた、中央の軸受け凹部１３８ａと、両側の軸受け凹部１３８ｂ、１３８ｃとの間に位置している。
【００８２】
一方の軸部１５５ａには、突出部１５６ａ、１５６ｂが設けられ、他方の軸部１５５ｂには突出部１５６ｃ、１５６ｄが設けられている。突出部１５６ｃの形状は、円板状である。また、突出部１５６ａ、１５６ｂ、１５６ｄの形状は、円板に、スリット１６１を設けた形状である。そして、このスリット１６１は円板の中心軸に対して垂直な方向に延びている。また、突出部１５６ａ、１５６ｂ、１５６ｃ、１５６ｄの円板部分の中心は同軸上に設けられている。また、突出部１５６ａ、１５６ｂ、１５６ｃ、１５６ｄの円板部分の外径は、軸受け凹部１３８に設けられた保持部１６０の内径とほぼ等しい。
【００８３】
したがって、突出部１５６ａ、１５６ｂ、１５６ｃ、１５６ｄは、本体部材１１１の保持部１６０によって保持することができ、突出部１５６ａ、１５６ｂ、１５６ｃ、１５６ｄが保持された状態では、軸部１５５ａ、１５５ｂと、軸受け凹部１３８とは相対回転が可能である。
また、一方の軸部１５５ａの突出部１５６ｂに設けられたスリット１６１は、後述するように、回転力発生部材１１４の内筒部１６２の先端部１６２ｃと係合する。
【００８４】
回転力発生部材１１４は、図２１、図２３に示されるように、円柱状の部材であり、図２５、図２６に示されるように、内筒部１６２、外筒部１６３、コイルバネ１６４、シールゴム１６５、押さえ部１６６を有している。内筒部１６２、外筒部１６３、押さえ部１６６は樹脂成形品が用いられている。
【００８５】
内筒部１６２は、筒部１６２ａと棒部１６２ｂとを有している。そして、筒部１６２ａは一方が封鎖され、他方が開放された円筒状である。そして、筒部１６２ａの内外の形状は断面が同心の円形である。筒部１６２ａの内側には断面形状が円形のバネ収納部１６７が設けられており、また、封鎖された側（バネ収納部１６７の奥側）には、溝状のコイルバネ係合部１６８が設けられている。
棒部１６２ｂは軸方向に延びる棒状であり、棒部１６２ｂの先端には先端部１６２ｃが設けられている。先端部１６２ｃは、第１係合部となるものであり、先端部（第１係合部）１６２ｃは、上記した突出部１５６ｂに設けられたスリット１６１と係合し、内筒部１６２と蓋部材１１３とが一体的に回転する。
【００８６】
外筒部１６３は、筒部１６３ａと突起部１６３ｂとを有している。そして、筒部１６３ａは一方が封鎖され、他方が開放された円筒状である。そして、筒部１６３ａの内外の形状は断面が同心の円形である。また、筒部１６３ａの内側には内筒収納部１６３ｃが設けられており、また、封鎖された側（内筒収納部１６３ｃの奥側）には、溝状のコイルバネ係合部１７０が設けられている。内筒収納部１６３ｃの大きさは、内筒部１６２の筒部１６２ａの外径よりやや大きく、内筒部１６２を外筒部１６３の内筒収納部１６３ｃに挿入することができる。
【００８７】
突起部１６３ｂは軸方向に突出する部分であり、第２係合部となるものである。そして、突起部（第２係合部）１６３ｂは、図２３に示される本体部材１１１の軸受け凹部１３８のスリット１３８ｅと係合し、外筒部１６３と本体部材１１１とが一体的に回転する。
【００８８】
コイルバネ１６４は、外径が内筒部１６２のバネ収納部１６７の内径よりも同じかやや小さいコイルバネであり、両端を相対回転させると回転力を発生させることができるものである。そして、コイルバネ１６４の２ヵ所の端部１６４ａ、１６４ｂは、コイルバネ１６４の軸方向に対して垂直な方向に曲げられている。
そして、コイルバネ１６４の一方の端部１６４ａは、内筒部１６２のコイルバネ係合部１６８と係合し、他方の端部１６４ｂは、外筒部１６３のコイルバネ係合部１７０と係合している。
【００８９】
そして、外筒部１６３の内側の内筒収納部１６３ｃに内筒部１６２の筒部１６２ａを挿入し、さらに内筒部１６２のバネ収納部１６７にコイルバネ１６４が収納される。また、外筒部１６３の突起部１６３ｂと、内筒部１６２の棒部１６２ｂが外側に配置される。さらに、コイルバネ１６４の２ヵ所の端部１６４ａ、１６４ｂは、コイルバネ係合部１６８、１７０と係合し、内筒部１６２と外筒部１６３とはコイルバネ１６４を介して接続されている。
【００９０】
内筒部１６２と外筒部１６３とは相対回転可能であるが、内筒部１６２と外筒部１６３とは上記したようにコイルバネ１６４を介して接続されている。したがって、コイルバネ１６４が変形しない任意の回転位置では内筒部１６２と外筒部１６３との間で回転力が発生しないが、この回転位置から回転して、コイルバネ１６４が変形すると、前記した任意の回転位置に向かう方向に回転力が発生する。
また、内筒部１６２と外筒部１６３との間の隙間には、粘性体が充填されている。この粘性体は、高粘度のシリコーンオイルが用いられており、内筒部１６２と外筒部１６３との間で回転力が発生した場合に、ゆっくり回転して、急激な回転を阻止することができる。
なお、粘性体の粘度や、内筒部１６２と外筒部１６３との隙間を変えることにより、このときの回転速度を調整することができる。
【００９１】
シールゴム１６５は輪状であり、内筒部１６２の棒部１６２ｂ側に配置される。また、押さえ部１６６は輪状であり、外筒部１６３に固定することができる。そして、押さえ部１６６によって内筒部１６２やシールゴム１６５の保持が行われる。そして、シールゴム１６５によって、前記した内筒部１６２と外筒部１６３との間の隙間に充填される粘性体が漏れることを防止することができる。
【００９２】
収納ケース２が組み立ては、以下のようにして行われる。
まず、底ケース部材１２０と上ケース部材１２１とを合わせた本体部材１１１と、上蓋部１５０と下蓋部１５１とを合わせた蓋部材１１３とを準備する。そして、本体部材１１１の軸受け凹部１３８の保持部１６０に、蓋部材１１３の軸部１５５の突出部１５６ａ、１５６ｂ、１５６ｃ、１５６ｄを配置する。
【００９３】
さらに、回転力発生部材１１４を本体部材１１１の軸受け凹部１３８に配置する。具体的には、回転力発生部材１１４の内筒部１６２の先端部１６２ｃと、蓋部材１１３の軸部１５５ａの突出部１５６ｂに設けられたスリット１６１とを係合させ、また、回転力発生部材１１４の外筒部１６３の突起部１６３ｂと、本体部材１１１の軸受け凹部１３８に設けられたスリット１３８ｅと係合させる。
このとき、蓋部材１１３が開く方向に回転力が発生するように係合させる。すなわち、コイルバネ１６４が変形しないで回転力が発生しない回転位置を、図２０や図２７（ｂ）に示されるような蓋部材１１３が開いた状態とする。そして、この位置から閉じるように回転させると、元に戻る方向（蓋部材１１３が開く方向）に回転力が働くこととなる。
【００９４】
さらに、押さえ部材１１５を本体部材１１１に固定して、回転力発生部材１１４や蓋部材１１３が外れないようにする。
【００９５】
収納ケース２が組み立てられると、被押圧部１７３は、収納空間１２６を基準として蓋部材１１３の回転軸とは反対側に位置することとなる。
【００９６】
収納ケース２は、常に、蓋が開く状態となる方向に回転力が発生するが、蓋部材１１３の内側突起１４４を本体部材１１１の係合部１４３と係合させることができるので、閉じた状態を維持することができる。
この場合、図２４（ａ）、（ｂ）、（ｃ）に示されるように、内側突起１４４の傾斜部１４４ａによって、上側に移動するので、蓋部材１１３を回転させるようにするだけで蓋を閉じることができる。
【００９７】
また、蓋が閉じた状態から開く場合には、図２４（ｄ）、（ｅ）に示されるように、被押圧部１７３を押して行う。そして、被押圧部１７３を押すと、本体部材１１１の天面１３３が弾性変形して、内側突起１４４と係合部１４３の係合を解き、回転力発生部材１１４による回転力によって自動的に蓋が開く。
【００９８】
そして、収納ケース２は、蓋が開いた状態となると、図２７（ｂ）に示されるように、蓋部材１１３が回転することによって、開口１３９側が上昇し、蓋部材１１３と、本体部材１１１の後側面１４７側（開口１３９とは反対側）とにより支えられる状態となる。そして、蓋が開いた状態では本体部材１１１の収納空間１２６が傾斜して、彫刻刀９０が取り出ししやすい状態になる。
【００９９】
通常、収納ケース２は底面１２５を下側、天面１３３を上側として、平面状の台などの上に置くことがある。この場合、被押圧部１７３は上側に位置することとなり被押圧部１７３を押しやすい。そして、図２７（ａ）のような蓋が閉じている状態から開く場合には、被押圧部１７３を上から押すと開いて収納空間１２６が台に対して傾斜するので、簡単に蓋を開いて彫刻刀９０を取り出しやすい状態となり、そのまま彫刻刀９０を取り出して使用することができる。
【０１００】
このように、収納ケース２を開くときには、被押圧部１７３を押すだけで行うことができ、また、閉じる際には、蓋部材１１３を閉じる方向に回転させるだけで行うことができる。さらに、彫刻刀９０を使用する際に蓋部材１１３が開いた状態で置くと、適度な傾斜を有することとなり、彫刻刀９０が外部に出るおそれが小さく安全である。
【０１０１】
上記実施形態の収納ケース１は、彫刻刀９０を収納するものであったが、長尺状であれば、他のものでもの良く、筆、ボールペン等の筆記具、箸等を収納物とすることもできる。
【符号の説明】
【０１０２】
１、２  収納ケース
１０  収納部材
１１  本体部材
１２  スライド部材
１３  蓋部材
２６  収納空間
３７ａ  先端部（接触部）
３８ａ  先端部（接触部）
３９  開口
６０  挿入部材
６４  係止部
６６  円筒部
６７  板部
６９  係止部
８１  当接面
１１１  本体部材
１１３  蓋部材
１１４  回転力発生部材
１２６  収納空間
１３９  開口
１６２  内筒部
１６２ｃ  先端部（第１係合部）
１６３  外筒部
１６３ｂ  突起部（第２係合部）
１６４  コイルバネ
１７３  被押圧部
【図１】
2010214148.tif 000003
【図２】
2010214148.tif 000004
【図３】
2010214148.tif 000005
【図４】
2010214148.tif 000006
【図５】
2010214148.tif 000007
【図６】
2010214148.tif 000008
【図７】
2010214148.tif 000009
【図８】
2010214148.tif 000010
【図９】
2010214148.tif 000011
【図１０】
2010214148.tif 000012
【図１１】
2010214148.tif 000013
【図１２】
2010214148.tif 000014
【図１３】
2010214148.tif 000015
【図１４】
2010214148.tif 000016
【図１５】
2010214148.tif 000017
【図１６】
2010214148.tif 000018
【図１７】
2010214148.tif 000019
【図１８】
2010214148.tif 000020
【図１９】
2010214148.tif 000021
【図２０】
2010214148.tif 000022
【図２１】
2010214148.tif 000023
【図２２】
2010214148.tif 000024
【図２３】
2010214148.tif 000025
【図２４】
2010214148.tif 000026
【図２５】
2010214148.tif 000027
【図２６】
2010214148.tif 000028
【図２７】
2010214148.tif 000029
【手続補正書】
【提出日】平成22年8月3日(2010.8.3)
【手続補正１】
【補正対象書類名】特許請求の範囲
【補正対象項目名】全文
【補正方法】変更
【補正の内容】
【特許請求の範囲】
【請求項１】
長尺状の収納物を出し入れ可能に収納できる収納ケースにおいて、本体部材及び蓋部材を有し、前記本体部材には収納物が収納可能な収納空間を有し、前記収納空間の長手方向の一方には開口が設けられており、前記蓋部材は開閉可能であって閉じた状態では本体部材の開口側に配置されて収納空間に収納された収納物の移動を阻止し、蓋部材には軸部が設けられ、前記軸部が軸支されて本体部材に対して回転可能であって、蓋部材が開く方向に回転力が付与されており、本体部材と蓋部材とが係合することによって蓋部材が前記開口を封鎖する状態を維持することができ、前記係合を解くと、蓋部材は回転速度を制御しながら開くものであることを特徴とする収納ケース。